(57)【要約】      （修正有）【課題】静粛性に優れ、微少な塵埃も除去することができ、構造が単純で製造が容易な除塵装置を提供すること。【解決手段】主として絶縁材料からなる絶縁部材１と、前記絶縁部材を囲うように、かつその外周面の少なくとも一部と接触して設けられ、内周面に前記絶縁部材の外周面との摺動あるいは接触・離脱により正または負の電荷を帯電する絶縁基材を有し、外周面に塵埃を吸着するための粘着層を有する環状吸着部材２とを具備し、前記絶縁部材の外周面と前記環状吸着部材の内周面とを連続的に摺動または連続的に接触・離脱させることにより、前記環状吸着部材に電荷を帯電させ、その帯電を利用して前記粘着層に塵埃を吸着させる除塵装置。【選択図】図１
0003101048.tif 000002
【実用新案登録請求の範囲】
【請求項１】
主として絶縁材料からなる絶縁部材と、
前記絶縁部材を囲うように、かつその外周面の少なくとも一部と接触して設けられ、内周面に前記絶縁部材の外周面との摺動あるいは接触・離脱により正または負の電荷を帯電する絶縁基材を有し、外周面に塵埃を吸着するための粘着層を有する環状吸着部材とを具備し、
前記絶縁部材の外周面と前記環状吸着部材の内周面とを連続的に摺動または連続的に接触・離脱させることにより、前記環状吸着部材に電荷を帯電させ、その帯電を利用して前記粘着層に塵埃を吸着させることを特徴とする除塵装置。
【請求項２】
前記絶縁部材を円柱状または円筒状とし、支持台により回転可能に支持し、前記環状吸着部材を前記絶縁部材の軸方向の少なくとも一部において円周方向全体と接触するように前記支持台により回転不可能に支持し、前記環状吸着部材の内周面と前記絶縁部材の外周面とを連続的に摺動させることを特徴とする請求項１記載の除塵装置。
【請求項３】
前記絶縁部材を支持台により回転可能または回転不可能に支持し、前記絶縁部材と平行に主として絶縁材料からなる回転部材を前記支持台により支持し、前記絶縁部材および前記回転部材の一部と接触するように、かつそれらを囲うように前記環状吸着部材を設け、前記回転部材を回転させることにより前記環状吸着部材を回転させて、前記環状吸着部材の内周面と前記絶縁部材の外周面とを連続的に摺動または連続的に接触・離脱させることを特徴とする請求項１記載の除塵装置。
【請求項４】
前記環状吸着部材を支持台により回転不可能に支持し、前記環状吸着部材の内周面の一部と接触するように、かつ前記環状吸着部材の内周面に沿って移動可能に前記絶縁部材を前記支持台により支持し、前記絶縁部材を前記環状吸着部材の内周面に沿って移動させることにより、前記環状吸着部材の内周面と前記絶縁部材の外周面とを連続的に摺動または連続的に接触・離脱させることを特徴とする請求項１記載の除塵装置。
【考案の詳細な説明】
【技術分野】
【０００１】
本考案は空気中の塵埃を除去する除塵装置に係り、特に絶縁材料どうしの連続的な摺動または接触・離脱による帯電を利用することにより構造を単純化し、製造が容易な除塵装置に関する。
【背景技術】
【０００２】
各種加工工程では、切断、研磨等により多くの塵埃が空気中に排出される。このような空気中の塵埃を除去するために、除塵装置が用いられている。除塵方式には大きく分けて、フィルター濾過方式と電気除塵方式とがある。
【０００３】
フィルタ濾過方式の除塵装置は、例えば除塵フィルタを送風機の吸気口に配置し、この状態で送風機を作動させることにより、装置外の空気を除塵フィルタに通して空気中の塵埃を除去するものである（例えば、特許文献１参照。）。
【０００４】
また、電気除塵方式は、例えば荷電部において発生されるコロナ放電により空気中に含まれる塵埃を荷電し、この荷電された塵埃を電気的なクーロン引力によって除塵フィルタに吸着させるものである（例えば、特許文献２参照）。
【特許文献１】特開平１１−０９４３１９号公報
【特許文献２】特開平９−１２２５３５号公報
【考案の開示】
【考案が解決しようとする課題】
【０００５】
しかしながら、フィルタ濾過方式においては空気の流れを発生させるために送風機を用いており、送風機のファンの風切り等が発生し、静粛性が求められる場所には適していない。また、フィルタ濾過方式においては、フィルタの小孔より小さなものは除去することができないため、微細な塵埃が発生する場所には適していない。
【０００６】
電気除塵方式においても空気の流れを発生させるために送風機を用いた場合には送風機のファンの風切り等が発生し、静粛性が求められる場所には適していない。また、電気除塵方式ではコロナ放電によりオゾンが発生するが、オゾンは人体にとって好ましくないため、できるだけオゾンを発生させないものであることが好ましい。
【０００７】
本考案は、上述したような課題を解決するために成されたものであって、静粛性に優れ、微少な塵埃も除去することができ、人体に与える悪影響も少なく、構造が単純で製造が容易な除塵装置を提供することを目的としている。
【課題を解決するための手段】
【０００８】
本考案の除塵装置は、主として絶縁材料からなる絶縁部材と、前記絶縁部材を囲うように、かつその外周面の少なくとも一部と接触して設けられ、内周面に前記絶縁部材の外周面との摺動あるいは接触・離脱により正または負の電荷を帯電する絶縁基材を有し、外周面に塵埃を吸着するための粘着層を有する環状吸着部材とを具備し、前記絶縁部材の外周面と前記環状吸着部材の内周面とを連続的に摺動または連続的に接触・離脱させることにより、前記環状吸着部材に電荷を帯電させ、その帯電を利用して前記粘着層に塵埃を吸着させることを特徴とする。
【考案の効果】
【０００９】
本考案によれば、絶縁材料どうしの摺動あるいは接触・離脱による帯電を利用し塵埃を引きつけ、これを粘着層により固定することで、静粛性に優れ、微少な塵埃も除去することができ、人体に与える悪影響も少なく、構造が単純で製造が容易な除塵装置を提供することが可能となる。
【考案を実施するための最良の形態】
【００１０】
以下、本考案の除塵装置について図面を参照して説明する。
【００１１】
図１は本考案の除塵装置の第１の実施形態を示した正面図であり、図２はその要部を示した斜視図である。
【００１２】
絶縁部材１は、例えば円柱状または内部を中空とした円筒状のものである。また、環状吸着部材２は例えば内部が中空である円筒状のものである。環状吸着部材２は絶縁部材１の外周にはめ込んだときに円筒状になればよく、絶縁部材１の外周にはめ込んでいないときには必ずしも円筒状である必要はなく、環状構造を有するものであれば特にその形状は制限されるものではない。
【００１３】
環状吸着部材２は図２に示されるように少なくとも外周面が塵埃を吸着するための粘着層２ａであり、内周面が絶縁部材１の外周面との摩擦により正または負の電荷を帯電する絶縁基材２ｂである。粘着層２ａは絶縁基材２ｂの外周に粘着剤を塗布することにより形成されるものであってもよいし、絶縁基材２ｂの外周に粘着剤を含浸させることにより形成されるものであってもよい。
【００１４】
環状吸着部材２は絶縁部材１の外周にこれを囲うように、かつ絶縁部材１の軸方向の少なくとも一部において円周方向全体と接触するように摺動可能にはめ込まれている。すなわち、環状吸着部材２は絶縁部材１の全ての外周面と接触している必要はなく、絶縁部材１の軸方向の少なくとも一部において円周方向全体と接触すればよく、例えば図１、２に示されるように、絶縁部材１の両端部を環状吸着部材２と接触していない状態としてもよい。
【００１５】
絶縁部材１と環状吸着部材２とは、例えば支持台３により相対的に回転可能に支持されている。すなわち、絶縁部材１は支持台３に設けられたモータ等により回転可能に支持されており、環状吸着部材２は支持台３に取り付けた支持棒４により回転不可能に支持されている。
【００１６】
このような構造とし絶縁部材１を回転させることで、絶縁部材１の外周面と環状吸着部材２の内周面との摺動により環状吸着部材２に電荷を帯電させ、その帯電を利用して塵埃を環状吸着部材２に引きつけ、さらに引きつけた塵埃を粘着層２ａで固定することができる。
【００１７】
絶縁部材１は環状吸着部材２の絶縁基材２ｂとの摩擦により正または負の電荷を帯電する絶縁材料からなるものであれば特に材料は限定されるものでなく、例えば紙、ゴム、ポリエステル、ポリエチレン、塩化ビニル等からなるものを用いることができる。
【００１８】
環状吸着部材２のうち粘着層２ａは、塵埃を付着させることができる材料からなるものであれば特に限定されるものではなく、例えば天然ゴム系、合成ゴム系、シリコーン系粘着剤、あるいはポリビニルアルコール、ポリビニルピロリドン、メチルセルロース、ポリビニルエーテル、ポリビニルエステル、ポリアクリル酸系および／またはポリアクリル酸塩系高分子化合物、スチルバゾリウム化ポリビニルアルコール、エチレン−酢酸ビニル共重合物、アクリル酸エステル、アクリル系水性エマルジョン等の粘着剤からなるものが挙げられる。
【００１９】
上記粘着剤には必要に応じて粘着付与剤、老化防止剤、架橋剤、充填剤、顔料等の常用の添加剤を配合することができる。また、粘着層の厚さは適宜変更することができるが、例えば５〜１００μｍとすることが好ましい。
【００２０】
また、環状吸着部材２のうち絶縁基材２ｂは、絶縁部材１との摩擦により正または負の電荷を帯電する材料からなるものであれば特に限定されるものでなく、例えば布、不織布、紙、ゴム、ポリエステル、ポリエチレン、塩化ビニル等からなるものが挙げられる。絶縁基材２ｂの厚さは特に制限されるものではなく、絶縁基材２ｂを構成する材料の強度、磨耗性等を考慮し適宜変更することが好ましい。
【００２１】
次に、本考案の除塵装置の第２の実施形態について説明する。図３は本考案の除塵装置の第２の実施形態を示した正面図であり、図４、図５はその要部の動きを示した図である。
【００２２】
絶縁部材１および回転部材５は、例えば円柱状、円筒状のものである。絶縁部材１と回転部材５とは平行となるように支持台３によって支持されている。回転部材５は支持台３により回転可能に支持されており、絶縁部材１は回転可能に支持されていてもよく、回転不可能に支持されていてもよい。なお、図３、図４は絶縁部材１を回転不可能に支持した例を示したものであり、図５は絶縁部材１を回転可能に支持した例を示したものである。
【００２３】
環状吸着部材２は、これら絶縁部材１および回転部材５の外周面の一部と接触するように、かつそれらを囲うように設けられている。すなわち、環状吸着部材２は主として絶縁部材１と回転部材５とによって支持されている。
【００２４】
環状吸着部材２は少なくとも外周面が塵埃を吸着するための粘着層２ａであり、内周面が絶縁部材１との摩擦により正または負の電荷を帯電する絶縁基材２ｂである。粘着層２ａは絶縁基材２ｂの外周に粘着剤を塗布することにより形成されるものであってもよいし、絶縁基材２ｂの外周に粘着剤を含浸させることにより形成されるものであってもよい。
【００２５】
本実施形態においては回転部材５を支持台３に設けられたモータ等により回転させることで環状吸着部材２を回転させる。そして環状吸着部材２と絶縁部材１とを連続的に摺動または接触・離脱させる。図３、図４に示すように支持台３により絶縁部材１を回転不可能に支持した場合には、環状吸着部材２と絶縁部材１とが連続的に摺動することとなる。また、図５に示すように支持台３に絶縁部材１を回転可能に支持した場合には、環状吸着部材２の回転に合わせて絶縁部材１も回転するため、環状吸着部材２と絶縁部材１とが連続的に接触・離脱することとなる。
【００２６】
摺動または接触・離脱のいずれの場合においても、環状吸着部材２に電荷が帯電されるため、その帯電を利用して塵埃を環状吸着部材２に引きつけ、さらに引きつけた塵埃を粘着層２ａで固定することができる。
【００２７】
本実施形態においては、絶縁部材１、環状吸着部材２（粘着層２ａ、絶縁基材２ｂ）は基本的に第１の実施形態におけるものと同様の材料を使用することができるが、環状吸着部材２は絶縁部材１と回転部材５との間を回転させるため薄すぎると破損しやすくなり、他方で厚すぎると回転が困難となるため、強度等を考慮して適宜厚さを選択することが好ましい。
【００２８】
回転部材５の材料も基本的には絶縁部材１と同様の材料を用いることができるが、本実施形態では回転部材５を回転させることにより環状吸着部材２を回転させるため、環状吸着部材２との摩擦力が高いものであればより好ましい。また、環状吸着部材２を確実に回転させるため、例えば回転部材５の表面に凹凸部を設けて、環状吸着部材２と回転部材５との摩擦を高めてもよい。
【００２９】
絶縁部材１の直径および回転部材５の直径は特に制限されるものではないが、絶縁部材１の直径と回転部材５の直径とが離れすぎている場合には環状吸着部材２を適切に回転させることが困難なため、例えば絶縁部材１の直径：回転部材５の直径＝１：１０〜１０：１程度とすることが好ましい。
【００３０】
また、絶縁部材１と回転部材５との距離が離れすぎている場合には環状吸着部材２を適切に支持し回転させることが困難なため、例えば絶縁部材１と回転部材５との軸間距離を絶縁部材１の半径と回転部材５の半径とを足し合わせたものの１〜１０倍程度とすることが好ましい。
【００３１】
本実施形態によれば、絶縁部材１と回転部材５とで環状吸着部材２を支持する構造のため、環状吸着部材２の表面積を比較的広くすることができ、多量の塵埃を吸着し除去することができる。また、絶縁部材１を回転可能とすれば絶縁部材１と環状吸着部材２との摺動音の発生もなく、より静粛性に優れたものとすることができる。
【００３２】
次に、本考案の除塵装置の第３の実施形態について説明する。図６は本考案の除塵装置の第３の実施形態を示した斜視図であり、図７は要部の動きを上面から見たものである。
【００３３】
絶縁部材１は例えば円柱状、円筒状のものであり、環状吸着部材２は例えば円筒状のものである。環状吸着部材２は支持台３に回転不可能に支持されており、絶縁部材１はその外周面が環状吸着部材２の内周面の一部と接触するように支持台３によって支持されている。さらに、絶縁部材１は環状吸着部材２の内周面に沿って移動可能に、言い換えれば環状吸着部材２の中心軸を中心として回転可能に支持台３によって支持されている。
【００３４】
ここで、絶縁部材１はその中心軸を中心とした回転を行うようにしてもよいし、回転しないようにしてもよい。なお、図６、図７は絶縁部材１をその中心軸を中心とした回転をしないように支持したものである。
【００３５】
環状吸着部材２は少なくとも外周面が塵埃を吸着するための粘着層２ａであり、内周面が絶縁部材１との摩擦により正または負の電荷を帯電する絶縁基材２ｂである。粘着層２ａは絶縁基材２ｂの外周に粘着剤を塗布することにより形成されるものであってもよいし、絶縁基材２ｂの外周に粘着剤を含浸させることにより形成されるものであってもよい。
【００３６】
環状吸着部材２の内周面に沿って絶縁部材１を移動させるには、例えば図８に示すように環状吸着部材２が円筒状であれば、その中心軸６を基点としその内周面付近まで延びる支持部材７を設け、この支持部材７の内周面側端部に絶縁部材１を設け、環状吸着部材２の中心軸６を基点として回転支持体７を回転させることにより行うことができる。
【００３７】
この際、絶縁部材１をその中心軸８を中心とした回転ができないように支持部材７に取り付けた場合、すなわち絶縁部材１を単に支持部材７に固定した場合、図８に示すように絶縁部材１が環状吸着部材２の内周面に沿って移動する際に絶縁部材１の外周面と環状吸着部材２の内周面とが連続的に摺動することとなる。
【００３８】
また、絶縁部材１をその中心軸８を中心として回転できるように支持部材７に取り付けた場合、図９に示すように絶縁部材１が環状吸着部材２の内周面に沿って移動する際、絶縁部材１がその中心軸８を中心として回転するため、絶縁部材１の外周面と環状吸着部材２の内周面とが連続的に接触・離脱することとなる。
【００３９】
摺動または接触・離脱のいずれの場合においても、環状吸着部材２に電荷が帯電されるため、その帯電を利用して塵埃を環状吸着部材２に引きつけ、さらに引きつけた塵埃を粘着層２ａで固定することができる。
【００４０】
絶縁部材１、環状吸着部材２（粘着層２ａ、絶縁基材２ｂ）は、基本的に第１の実施形態におけるものと同様の材料を使用することができるが、環状吸着部材２の絶縁基材２ｂは例えば図６に示すように支持台３上に環状吸着部材２だけで固定することもできるように、また内周面を絶縁部材１が接触しながら移動しても損傷しないように、所定の形状を維持できるような材料、厚さ等を適宜設定することが好ましい。
【００４１】
また、本実施形態では環状吸着部材２内に絶縁部材１を設けることができれば特にそれらの大きさは制限されるものではないが、環状吸着部材２に対して絶縁部材１が大きすぎても、小さすぎても、絶縁部材１を環状吸着部材２の内周面に沿って適切に移動させることが困難となる。このため、例えば絶縁部材１および環状吸着部材２が円筒状である場合には、環状吸着部材２の内径：絶縁部材１の外径＝１０：１〜２：１程度とすることが好ましい。
【００４２】
本実施形態によれば、環状吸着部材２の表面積を大きくすることができ、多量の塵埃を吸着し除去することができる。また、絶縁部材１をその中心軸を中心として回転可能とすれば絶縁部材１と環状吸着部材２との摺動音の発生もなく、より静粛性に優れたものとすることができる。
【００４３】
上記第１〜第３の実施形態に示したような本考案の除塵装置においては、本考案の趣旨に反しない限度において、また必要に応じてその構成を変更してもよい。例えば、上述した第１〜第３の実施形態において絶縁部材１および環状吸着部材２等を覆う網目状のカバー等を設けてもよい。
【００４４】
また、本考案の除塵装置はいずれも環状吸着部材２の粘着層２ａの表面に十分に塵埃が付着した場合には、新たな環状吸着部材２と交換して再度使用することができる。本考案の除塵装置は構造が単純化されているため容易に製造が可能であり、特に環状吸着部材２の製造が容易であり、交換も容易であるため様々な場所での使用が期待される。
【図面の簡単な説明】
【００４５】
【図１】本考案の第１の実施形態を示した正面図
【図２】本考案の第１の実施形態の要部を示した斜視図
【図３】本考案の第２の実施形態を示した正面図
【図４】本考案の第２の実施形態の動作の一例を示した図
【図５】本考案の第２の実施形態の動作の他の例示した図
【図６】本考案の第３の実施形態を示した斜視図
【図７】本考案の第３の実施形態の動作の一例を示した図
【図８】本考案の第３の実施形態の具体例を示した図
【図９】本考案の第３の実施形態の具体例を示した図
【符号の説明】
【００４６】
１……絶縁部材、２……環状吸着部材、３……支持台、４……支持棒、５……回転部材、６……環状吸着部材の中心軸、７……支持部材、８……絶縁部材の中心軸
【図１】
0003101048.tif 000003
【図２】
0003101048.tif 000004
【図３】
0003101048.tif 000005
【図４】
0003101048.tif 000006
【図５】
0003101048.tif 000007
【図６】
0003101048.tif 000008
【図７】
0003101048.tif 000009
【図８】
0003101048.tif 000010
【図９】
0003101048.tif 000011